(57)【要約】      （修正有）【課題】従来の建築物の外壁、内壁の目地は、シーリング材を充填した、そのままの状態で太陽光、外気に晒されて紫外線により劣化が進み、硬化、縮みで止水機能を低下させている。シーリング材の劣化を抑え耐用年数を伸ばす目地板を提供する。【解決手段】建築物のコンクリート外壁の目地溝３に充填したシーリング材２が硬化する前に覆う物で、金属板の上下を折り曲げ裏側になる部分に孔４を多数開けた顎を設けた目地板１を被せ圧入し、孔から折り曲げた裏側にシーリング材が進入し、目地板の溜まった空気は孔４４から排出され裏側にも充填され一体となり太陽光、外気を遮断し、劣化を抑える。【選択図】図１
0003233743.tif 000002
【実用新案登録請求の範囲】
【請求項１】
建築物の外壁、内壁の目地溝に充填したシーリング材の表面と接する部分をＭ字型に形成した金属板の両側を折り曲げ、上記シーリング材が通る多数の孔を開けた顎部を設けた目地板を充填した上記シーリング材に圧入し上記シーリング材を覆い、太陽光、外気を遮断する目地板。
【請求項２】
目地溝に近接する上記目地板の折り曲げた両側に切り込みを入れ突起部を設け、目地板より広い上記目地溝の幅に合わせて上記突起部を起こし位置決めが出来るもので、目地溝と隙間が無い時は突起部を内側に折り曲げ圧入時に空気を逃がす、請求項１記載の目地板。
【請求項３】
目地板の上記シーリング材に接する表面を湾曲型に形成した、請求項１の記載、または請求項２記載の目地板。
【考案の詳細な説明】
【技術分野】
【０００１】  本考案は、建築物、構造物の外壁、外装壁、内装の繋ぎ目に施工する目地のシーリングに関するものである。
【背景技術】
【０００２】  従来はシーリング材を充填した目地の表面は太陽光、外気に晒されて紫外線が劣化を早め、縮み、硬化と止水機能が低下し、シーリング材の打ち直しが必要になり、この補修工事は職人不足、資材費が高騰している。シーリング材の劣化を抑え耐用年数を伸ばす技術が求められている。【０００３】  従来の化粧室、浴室は湿度が高くなり化粧壁に施工されている目地のシーリング材にカビが発生し、美観を損ねている。
【先行技術文献】
【０００４】
【特許文献１】特開２００７−１００４１８
【特許文献２】特開２００７−２７０４９８
【考案の概要】
【０００５】  図１、図２に示すように、外壁、外装の目地溝にシーリング材を充填した目地の表面を太陽光、外気から遮断する目地板を被せ、シーリング材の劣化を遅らせるもので、目地溝にシーリング材を充填し硬化する前に、金属板の両側を折り曲げて裏側になる部分に孔を多数開け顎を設けた目地板を被せ、圧入しシーリング材が目地板の裏側に進入し、目地板の裏側に溜まった空気は両側の孔から排出されシーリング材と一体となる、目地板。
【考案が解決しようとする課題】
【０００６】  特許文献１に示した化粧目地材は係合突片、切欠筒部を深く目地充填材に埋め込む構造である。目地溝に充填する目地充填材が多く必要となり、使用する量が多くなると縮む量が大きくなり、止水機能が低下する。【０００７】  特許文献２に示した目地化粧材は樹脂を用いているので太陽光、紫外線の影響で劣化が早く耐用年数が短い。太陽光、紫外線を遮断する金属板が望ましい。
また、壁面より化粧目地材が飛び出ている構造は、人、物が接触し脱落の要因になる。
【課題を解決するための手段】
【０００８】  本考案は従来の問題点に着目し、コンクリート外壁目地、外壁板の目地溝に施工したシーリング材を充填し硬化する前に被せる物で、Ｍ字型に形成した金属板の両側を折り曲げ、裏側になる部分に孔を多数開けた顎を設け、シーリング材に圧入し目地板の裏側に設けた孔からシーリング材が進入し、目地板の裏側に溜まった空気は両側の孔から排出され目地板の裏側の隅々まで充填されシーリング材と一体になる、目地板。【０００９】  請求項２に示した目地板は、目地溝の幅が建付け調整で広い時、突起部を起こし左右の位置合わせが出来るのを特徴とした目地板で、圧入されると突起部より始めは溜まった空気が排出され、次に余ったシーリング材が押し出される。
【考案の効果】
【００１０】  本考案は外装、内装の目地溝に充填したシーリング材の表面に金属板を被せ、太陽光、外気を遮断し劣化を抑え、耐用年数が長くなり、建物の維持費の低減となる。【００１１】  湿気のある地下構造物、水周りの化粧壁、日の当たらない外壁の目地にカビの発生が無くなり見栄えが良くなる。
【図面の簡単な説明】
【００１２】
【図１】図１はコンクリート躯体の打ち継ぎ目地の平面断面図。（実施例１）
【図２】図２は目地板の一部斜視図。（実施例１）
【図３】図３は目地板の一部斜視図。（実施例２）
【図４】図４は外壁板の繋ぎ部の施工断面図。（実施例２）
【図５】図５は外壁板の繋ぎ部の施工断面図。（実施例２）
【図６】図６は目地板の表面が湾曲型の目地板一部斜視図。（実施例３）
【図７】図７は目地板の表面が湾曲型の目地板一部斜視図。（実施例３）
【考案を実施するための形態】
【実施例１】
【００１３】  図１、図２に示すようにコンクリート躯体上階８とコンクリート躯体下階９の打ち繋ぎ部に設けてある目地溝３のバックアップ材６の表面にシーリング材２を充填し、シーリング材２が硬化する前にＭ字型に形成された金属板の両側を折り曲げ裏側になる部分に孔４をあけた顎７を設けた目地板１を圧入し目地板１の裏側に孔４を通りシーリング材２が入り込み、目地板１の裏側に溜まった空気は孔４４より排出され、更に余分なシーリング材２が押し出され目地板１の裏側に充填され、目地板１とシーリング材２が一体になる、目地板。
【実施例２】
【００１４】  図３、図４、図５に示すように、外壁版１４の目地溝３３に、Ｍ字型の目地板１の側面に切り込みを入れ突起部５を設け、目地溝３３の幅に合わせて突起部５を起こし位置合わせが出来る目地板１を圧入し目地板１の裏側にシーリング材２が入り込み、突起部５の孔から溜まった空気が排出され、次に余分なシーリング材２が目地溝３３の側面に押し出され、目地板１とシーリング材２が一体となる目地板。
【実施例３】
【００１５】  図６、図７、に示すように目地板の、シーリング材２の表面に接する部分を湾曲型に形成した目地板１１で、目地溝３の幅と目地板１１の幅が近い時は突起部５を内側に折り曲げ溜まった空気を排出され、次に余分なシーリング材２が押し出される目地板。
【産業上の利用可能性】
【００１６】  近年は、戸建住宅もペンキの塗り替えが無い、窯業系サイディング壁が多くなっているが、目地のシーリングには耐用年数が有り、打ち直しが必要である。
考案の目地板は太陽光、外気から守り、耐用年数を伸ばし、維持費の低減になる。【００１７】  人が多く集まる場所、公共施設の壁は不燃ボードが使われているが継ぎ目に金属レールを用い隙間無く施工されている。揺れを吸収する目地溝にシーリング材を充填する方法はひび割れを抑えることが出来、揺れを吸収する目地溝は災害対策に有効である。
【符号の説明】
【００１８】  １、１１、目地板        ２、シーリング材        ３、３３、目地溝
４、４４、孔                  ５、突起部        ６、バックアップ材
７、顎            ８、コンクリート躯体上階      ９、コンクリート躯体
１３、鉄筋            １４、外壁板              １５、刃物
１６、養生テープ    １７、フレーム              １８、ネジ
【図１】
0003233743.tif 000003
【図２】
0003233743.tif 000004
【図３】
0003233743.tif 000005
【図４】
0003233743.tif 000006
【図５】
0003233743.tif 000007
【図６】
0003233743.tif 000008
【図７】
0003233743.tif 000009